(57)【要約】【課題】工具の軸周りから拡大レンズを通してその先端部を確認でき、位置決めを容易に、かつ正確に行うことができるジグ装置及びジグ装置を備えたセンターポンチを提供する。【解決手段】ジグ装置１は、拡大レンズ１０と、拡大レンズが保持された円筒形の本体１１と、から構成され、拡大レンズ１０の略中心に穴１５が穿設され、該穴に棒状の工具を上下可動に保持する保持部１２が備えられている。この保持部１２にバネ部材１４が備えられてもよいし、拡大レンズ１０の下方に照射部（発光ダイオード２０）が備えられてもよい。また、ジグ装置１を備えたセンターポンチ５０は、ジグ装置１の保持部１２にセンターポンチ本体５１が上下可動に保持され、拡大レンズ１０の中心とセンターポンチ本体５１の中心軸が略同一である。【選択図】図４
2018111189.tif 000002
【特許請求の範囲】
【請求項１】
拡大レンズと、
前記拡大レンズが保持された円筒形の本体と、から構成され、
前記拡大レンズの略中心に穴が穿設され、該穴に棒状の工具を上下可動に保持する保持部が備えられていることを特徴とするジグ装置。
【請求項２】
請求項１に記載のジグ装置おいて、前記保持部がバネ部材を備えていることを特徴とするジグ装置。
【請求項３】
請求項１又は２に記載のジグ装置において、前記拡大レンズの下方に第２の拡大レンズが前記本体に保持されていることを特徴とするジグ装置。
【請求項４】
請求項１から３のいずれかに記載のジグ装置において、照射部が前記拡大レンズ又は前記第２の拡大レンズの下方に備えられていることを特徴とするジグ装置。
【請求項５】
請求項１から４のいずれかに記載のジグ装置において、前記本体の下端に、中心に穴が穿設された透明な板材が嵌め込まれ、該板材には前記穴の中心に向けたガイド線が描かれていることを特徴とするジグ装置。
【請求項６】
請求項１から５のいずれかに記載のジグ装置において、前記円筒形の本体の底部に、ゴム部材が嵌め込まれていることを特徴とするジグ装置。
【請求項７】
請求項１から６のいずれかに記載のジグ装置において、前記円筒形の本体の側面に円周に沿った窪みが形成されていることを特徴とするジグ装置。
【請求項８】
請求項１から７のいずれかに記載のジグ装置の保持部にセンターポンチ本体が上下可動に保持され、前記拡大レンズの中心と前記センターポンチ本体の中心軸が略同一であることを特徴とするジグ装置を備えたセンターポンチ。
【発明の詳細な説明】
【技術分野】
【０００１】
本発明は、センターポンチやドライバーなどの工具を保持し、工具先端部の作業を容易にするジグ装置及びこれを備えたセンターポンチに関する。
【背景技術】
【０００２】
センターポンチやドライバーなどの工具を扱う際に、先端部の細かい作業が困難な場合がある。例えば、ドライバーはネジを締め付ける際に使用する工具であるが、ネジが非常に小さいときや目が疲れているときなどにドライバー先端部をネジ頭部の締め付け位置に合わせて、締め付ける作業に手間がかかる場合がある。
【０００３】
センターポンチは、金属板等にドリルで穴を開けようとする際に、穴の中心を決めてドリルの先端が逃げないよう、マーキング（窪み）を付けるために利用される工具であり、先端部が円錐形にとがった金属製の棒状で、ハンマーでその後端をたたいて使用するものや、ハンマーを内蔵したもの（いわゆるオートセンターポンチ）がある。使用する際には、打ち込む位置（罫書き点マークや線）とセンターポンチの先端部を目視し、それらを合わせてハンマーで打ち込むが、先端部と打ち込む位置がずれて、正確に位置合わせをすることが困難な場合がある。そのため、センターポンチ先端部の位置決めを正確に行うことを目的とした技術が開発されている。
【０００４】
例えば特許文献１には、レンズホルダーを備えた穿孔用位置決めジグが開示されている。この発明によると、センターポンチと共に使用され、レンズホルダーを回転させて操作することにより、拡大レンズを通して打ち込む位置を確認でき、センターポンチ先端部の位置決めが正確にできるとされている。
【０００５】
また、特許文献２には、センターポンチ本体を垂直に保持する保持部と、拡大レンズを斜めに保持する保持部からなるセンターポンチが開示されている。この発明によると、センターポンチ先端部と、打ち込む位置の確認を一動作で行ない、作業の効率化ができるとされている。
【先行技術文献】
【特許文献】
【０００６】
【特許文献１】特開２０１０−２４７３１５号公報
【特許文献２】実開平６−５８７５号公報
【発明の概要】
【発明が解決しようとする課題】
【０００７】
特許文献１の穿孔用位置決めジグは、レンズホルダーを回転させて操作することにより、センターポンチ先端部の打ち込む位置を真上から拡大レンズを通して目視して確認できるが、確認しながらセンターポンチを打ち込むことはできない。そのため、レンズホルダーを回転させて確認した後に、打ち込む際に再度、回転させる手間がかかり、効率的ではない。
【０００８】
また、特許文献２のセンターポンチは、打ち込む位置の確認と打ち込みを一動作で行うことができるが、センターポンチの軸に対して斜め方向に拡大レンズが設置されており、打ち込む位置と先端部を定まった方向（斜め方向）から目視して確認するため、打ち込む位置が見づらく、ずれてしまうことがあり得る。また、打ち込む位置を別の方向から確認したい場合には、拡大レンズの位置を変える必要があり、手間がかかる。そのため、センターポンチの軸周り（３６０度）のどの方向からも拡大レンズを通して先端部と打ち込む位置が確認できるセンターポンチが望まれる。また、センターポンチに限らず、ドライバー等の工具に関しても上記のように位置決めを容易かつ正確に行うためのジグ装置が望まれる。
【０００９】
本発明は、上記課題に鑑み、センターポンチ等の工具の軸周りから拡大レンズを通して工具の先端部を確認でき、位置決めが容易に、かつ正確にできるジグ装置及びこれを備えたセンターポンチを提供する。
【課題を解決するための手段】
【００１０】
上記課題を解決するため、本発明のジグ装置及びこれを備えたセンターポンチは、次のように構成する。
本願の請求項１に記載のジグ装置は、拡大レンズと、前記拡大レンズが保持された円筒形の本体と、から構成され、前記拡大レンズの略中心に穴が穿設され、該穴に棒状の工具を上下可動に保持する保持部が備えられていることを特徴とする。
請求項２に記載のジグ装置は、請求項１に記載のジグ装置おいて、前記保持部がバネ部材を備えていることを特徴とする。
請求項３に記載のジグ装置は、請求項１又は２に記載のジグ装置において、前記拡大レンズの下方に第２の拡大レンズが前記本体に保持されていることを特徴とする。
請求項４に記載のジグ装置は、請求項１から３のいずれかに記載のジグ装置において、照射部が前記拡大レンズ又は前記第２の拡大レンズの下方に備えられていることを特徴とする。
請求項５に記載のジグ装置は、請求項１から４のいずれかに記載のジグ装置において、前記本体の下端に、中心に穴が穿設された透明な板材が嵌め込まれ、該板材には前記穴の中心に向けたガイド線が描かれていることを特徴とする。
請求項６に記載のジグ装置は、請求項１から５のいずれかに記載のジグ装置において、前記円筒形の本体の底部に、ゴム部材が嵌め込まれていることを特徴とする。
請求項７に記載のジグ装置は、請求項１から６のいずれかに記載のジグ装置において、前記円筒形の本体の側面に円周に沿った窪みが形成されていることを特徴とする。
請求項８に記載のジグ装置を備えたセンターポンチは、請求項１から７のいずれかに記載のジグ装置の保持部にセンターポンチ本体が上下可動に保持され、前記拡大レンズの中心と前記センターポンチ本体の中心軸が略同一であることを特徴とする。
【発明の効果】
【００１１】
本発明のジグ装置及びジグ装置を備えたセンターポンチは、工具の軸周りから拡大レンズを通してその先端部を確認でき、位置決めを容易に、かつ正確に行うことができる。
【図面の簡単な説明】
【００１２】
【図１】本発明の第１の実施例であるジグ装置の断面図の模式図である。
【図２】図１の矢視Ａ−Ａから見た平面図である。
【図３】図１の矢視Ｂ−Ｂから見た平面図である。
【図４】図１のジグ装置を備えたセンターポンチの断面図の模式図である。
【図５】図４のセンターポンチの右側面図の模式図である。
【図６】図４のセンターポンチの使い方を示す説明図である。
【図７】本発明の第２の実施例であるジグ装置を備えたセンターポンチの断面図の模式図である。
【図８】本発明の第３の実施例であるジグ装置を備えたセンターポンチの断面図の模式図である。
【図９】本発明の第３の実施例であるジグ装置を備えたセンターポンチの断面図の模式図である。
【図１０】図８のセンターポンチの使い方を示す説明図である。
【発明を実施するための形態】
【００１３】
以下、本発明の実施例を、図面に基づいて説明する。以下の図において、共通する部分には同一の符号を付しており、同一符号の部分に対して重複した説明を省略する。なお、以下に説明する実施例では、ジグ装置を使用する工具がセンターポンチである例を説明するが、本発明に係るジグ装置は、これに限らず、ドライバー等のあらゆる工具に適用できるものである。
【実施例１】
【００１４】
［ジグ装置１］
先ず、本発明の第１の実施例に係るジグ装置１について図１〜図３を用いて説明する。図１は、本発明の第１の実施例であるジグ装置の断面図の模式図、図２は、図１の矢視Ａ−Ａから見た平面図、図３は、図１の矢視Ｂ−Ｂから見た平面図である。ジグ装置１は、拡大レンズ１０と、拡大レンズ１０が保持された円筒形の本体１１から構成される。その拡大レンズ１０の略中心には、穴１５が穿設され、穴１５に棒状の工具を保持する保持部１２が備えられている。
【００１５】
図１に示すように本体１１は、円筒形をしており、その上部に拡大レンズ１０が保持されている。本体１１は、プラスチックや金属等いかなる材質で形成されてもよいが、工具の先端部と打ち込む位置などの確認を容易にするため、下部は透明材で形成されることが好ましい。本実施例では、先端部を側面からも確認できるように下部は透明材で形成されている。拡大レンズ１０は、本体１１と結合したレンズ保持体１３によって保持されている。レンズ保持体１３は、例えば虫眼鏡の環状の枠が使用される。本体１１の大きさは、直径が８０ｍｍ、高さが９０ｍｍ程度である。拡大レンズ１０の大きさは、直径が８０ｍｍ程度、厚さが５〜１０ｍｍ程度である。
【００１６】
図２に示すように、拡大レンズ１０の略中心には、直径１ｃｍ程度の穴１５が穿設されている。穴１５には、棒状の工具を保持する保持部１２が嵌められている。保持部１２は、円筒形で中心に棒状の工具を上下可動に、底面に対して垂直方向に保持してガイドするためのものであり、プラスチックや金属等で形成されている。工具がドライバー等の場合には、上下だけでなく回転可能に保持してガイドする。保持部１２の大きさは、直径が穴１５と同じ１０ｍｍ程度、高さが５０〜６０ｍｍ程度である。保持部１２を拡大レンズ１０に密着させて取り付けるため、拡大レンズ１０の穴１０の周囲にシール部材（ゴムパッキン等）１６を取り付けてもよい。さらに、保持部１２を拡大レンズ１０に確実に固定するため、締め付け部材（六角ナットなど）１７などを使用してもよい。
【００１７】
また、保持部１２の上部にバネ部材１４、例えばステンレス製の押しバネを設置してもよい。棒状の工具をバネ部材１４の中を通して設置されることで、工具が上下可動にバネで保持される。バネ部材１４により、工具の後部を指で押して工具の先端部の位置を確かめた後、指を放すことで工具の先端部が自然に元の高さに戻るため、何度も先端部の位置を容易に確かめることができる。
【００１８】
さらに、図１、図３に示すように、ジグ装置１は、照射部が拡大レンズ１０の下方に備えられている構成としてもよい。照射部には、いかなる照明ランプを使用してもよいが、例えば発光ダイオード２０を使用する。発光ダイオード２０は、拡大レンズ１０の下方に設置される環状の発光ダイオード保持体２１に、例えば６個均等に保持される。発光ダイオード２０の配線は発光ダイオード保持体２１の中に収納されており、電源は発光ダイオードの端子２２を介して外部に設置される（図示せず）。発光ダイオード２０の電源スイッチをオン・オフと切り替えることで、必要に応じて光を照射することができ、周りが暗い状態であっても工具の先端部や、打ち込む位置などを確かめることができる。また、発光ダイオード２０の発光を、拡大レンズ１０を通して目視するため、少ない数の発光ダイオード２０であっても、工具の先端部や位置を充分に確認することができる。
【００１９】
また、図１と図３に示すように、本体１１の下端に、穴３１が中心に穿設された透明な板材３０を嵌め込んでもよい。透明な板材３０は、例えばプラスチックやガラスが使用される。板材３０には中心の穴３１に向けたガイド線３２が描かれており、本実施例では、４本のガイド線３２が描かれている。ガイド線３２の本数はこれに限らず何本描いてもよい。また、中心の穴３１は、工具の先端部が通る大きさであればよく、例えば直径が５ｍｍ程度である。工具先端部の位置決めの際に、この透明な板材３０のガイド線３２を打ち込む位置（罫書き点マークや線など）や閉め付け位置に合わせることで、位置決めを容易にかつ正確に行うことができる。
【００２０】
さらに、図１と図３に示すように本体１１の底部に、ゴム部材３３を嵌め込む構成としてもよい。ゴム部材３３としては、本体１１の底部に沿って、環状のゴムパッキン（いわゆるＯリング）を使用してもよいし、他のゴム部材を使用することもできる。本実施例では、図３に示すように環状のゴムパッキンを使用する。本体１１はプラスチック等で成形されているため、鉄板等に当接させて使用する際に滑る場合があるが、本体１１の底部にゴム部材３３を嵌め込むことにより、滑るのを防止でき位置決めを効率よく行うことができる。
【００２１】
以上説明した実施例では、保持部１２にバネ部材１４を備え、本体１１に照射部の発光ダイオード２０、ガイド線３２が付いた透明な板材３０、ゴム部材３３を備えたジグ装置１を説明してきたが、本発明はこれの構成部を備えたジグ装置１に限定されない。例えば、これらの構成部を備えないジグ装置１も本発明の範囲であり、これらの構成部のいずれか１つ又は２つ以上備えた装置１も本発明の範囲である。
【００２２】
［ジグ装置１を備えたセンターポンチ５０］
次に上記のジグ装置１を備えたセンターポンチ５０とその使用方法について図４〜図６を用いて説明する。図４は、ジグ装置１を備えたセンターポンチ５０の断面図の模式図であり、図５は、その右側面図である。図６は、センターポンチの使い方を示す説明図である。
【００２３】
図４に示すように、センターポンチ本体５１は、ジグ装置１の保持部１２の穴に差し込まれ、上下可動に保持される。本実施例では、バネ部材１４を備えた保持部１２を使用する。センターポンチ本体５１は、ハンマーでその後端をたたいて使用する手動のものでもよいし、ハンマーを内蔵したもの（いわゆるオートセンターポンチ）でもよい。オートセンターポンチは、ハンマーが不要で、押さえるだけで打ち込むことができるため便利である。本実施例では、オートセンターポンチを使用する。
【００２４】
センターポンチ本体５１の中心軸は、拡大レンズ１０（又は保持部１２）の中心と略同一である。それにより、センターポンチ本体５１は保持部１２で垂直方向に上下可動に案内され、先端部５２は打ち込む面に対して常に垂直に保たれる。従って、打ち込む際に、先端部５２は打ち込む面に対して傾くことがなく、打ち込む位置（罫書き点マークや線）に正確に打ち込むことができる。また、図５に示すように、本実施例ではセンターポンチ５０の下部は透明材で形成されているため、センターポンチ本体５１の先端部５２の位置を側面からも確認することができる。
【００２５】
使用する際には、図６に示すようにセンターポンチ本体５１の先端部５２と、打ち込む位置（罫書き点マークや線）６０を、拡大レンズ１０を通して目視する。このとき、センターポンチ本体５１の軸周り３６０度（矢印で示す）のどの方向からも拡大レンズ１０を通して先端部５２と打ち込む位置６０を確認することができる。このようにどの方向からも拡大レンズ１０を通して先端部５２と打ち込む位置６０を確認できるセンターポンチは、従来技術になく、本発明の新規な点である。
【００２６】
センターポンチ本体５１は、図６の上下の矢印方向に、上下可動に保持されているため、位置決めの際にはセンターポンチ本体５１の後部を指で押して先端部５２の位置を確かめた後、元の高さに戻し、先端部５２が打ち込む位置（罫書き点マークや線）６０に重なるまで上下に繰り返し動かす。このようにして、先端部５２の位置決めを容易に行うことができる。
【００２７】
また、周囲が暗い状態で、先端部５２と打ち込む位置６０が見えづらいときには、照射部の発光ダイオード２０の電源スイッチをオンに切り替えることで、光を照射する。それにより、周囲の明るさに影響されず、センターポンチ本体５１の先端部５２と、打ち込む位置６０を確認することができる。さらに、この透明な板材３０のガイド線３２を打ち込む位置６０に合わせることで、先端部５２の位置決めを容易にかつ正確に行うことができる。先端部５２の位置決めをした後は、ハンマーで打ち込む。
【００２８】
なお、以上説明したジグ装置１を備えたセンターポンチ５０は、ジグ装置１に、バネ部材１４を備え、本体１１に照射部の発光ダイオード２０、ガイド線３２が付いた透明な板材３０、ゴム部材３３を備えたものを例として説明したが、これらの構成部を備えないジグ装置１を備えたセンターポンチ５０も本発明の範囲であり、これらの構成部のいずれか１つ又は２つ以上備えたジグ装置１を備えたセンターポンチ５０も本発明の範囲である。
【実施例２】
【００２９】
次に本発明の第２の実施例に係るジグ装置１について図７を用いて説明する。図７は、本発明の第２の実施例であるジグ装置を備えたセンターポンチ５０の断面図の模式図である。第１の実施例に係るジグ装置１との違いは、拡大レンズ１０の下方に第２の拡大レンズ４０が本体１１に保持されている点である。それ以外の構成や使用方法は、実施例１と同様であるため、共通する部分の説明を省略する。
【００３０】
図７に示すように、第２の拡大レンズ４０は拡大レンズ１０の下方（４０ｍｍ〜５０ｍｍ程度）に、本体１１と結合したレンズ保持体４１によって保持されている。レンズ保持体４１は、拡大レンズ１０と同様に環状の枠が使用される。第２の拡大レンズ４０は、拡大レンズ１０と同一のものでもよいし、異なるレンズでもよいが、レンズ保持体４１に保持される大きさが必要である。
【００３１】
拡大レンズ１０と同様に、第２の拡大レンズ４０の略中心には、棒状の工具を挿通する穴４２が穿設され、そこに工具を保持する保持部１２が設置されている。このとき、拡大レンズ１０の穴１５の中心と第２の拡大レンズ４０の穴４２の中心が、工具の同軸上になるようにすることが好ましい。それにより、工具を垂直方向に上下可動に保持することができる。
【００３２】
実施例１と同様にジグ装置１に照射部を備える構成としてもよい。照射部を備える際には、拡大レンズ１０のすぐ下ではなく、第２の拡大レンズ４０の下方に照射部を備える構成とすることが好ましい。例えば、発光ダイオード２０を、第２の拡大レンズ４０の下方に環状の発光ダイオード保持体２１を設置し、そこに保持させる。その他、例えばジグ装置１の保持部１２にバネ部材１４を備える点や、ガイド線３２付いた透明な板材３０、ゴム部材３３を本体１１の底部に備える構成は、実施例１と同様である。
【００３３】
本実施例のセンターポンチの使用方法は、実施例１と同様であるが、ジグ装置１の拡大レンズ１０の下方に第２の拡大レンズ４０が本体１１に保持されているため、レンズが２重に設置されていることで、更に精度よく工具先端の位置決めを行うことができる。
【実施例３】
【００３４】
次に本発明の第３の実施例に係るジグ装置１について図８〜１０を用いて説明する。図８、９は、本発明の第３の実施例であるジグ装置を備えたセンターポンチ５０の断面図の模式図である。図８は拡大レンズが１重のジグ装置１を備えたセンターポンチ５０を示し、図９は拡大レンズが２重のジグ装置１を備えたセンターポンチ５０を示す。図１０は、図８のセンターポンチの使い方を示す説明図である。第１、２の実施例に係るジグ装置１との違いは、ジグ装置１の円筒形の本体１１の側面に円周に沿った窪み１８が形成されている点である。それ以外の構成や使用方法は、実施例１、２と同様であるため、共通する部分の説明を省略する。
【００３５】
図８に示すように、本実施例のジグ装置１は、円筒形の本体１１の側面に円周に沿った窪み１８が形成されている。１つの窪みは、長径が８〜９ｍｍ程度の略半円形の凹型で、円周に沿って均一に形成されている。窪みの１８の大きさや形状はこれに限定されず、どのような大きさ、形状でもよい。
【００３６】
図８では、円周に沿って、同じ大きさの２段の窪み１８を形成しているが、窪み１８は１段でもよく、また、異なる大きさの窪み１８を複数段形成してもよい。円筒形の本体１１が２段の窪み１８を有する場合には、例えば、図１０に示すように、本体の片側を片手の人差し指と中指をそれぞれ２段の窪みに当て、対向する側の窪みに親指を当てて押さえることで、円筒形の本体１１を持ち運びやすく、また作業中に固定しやすくなる。
【００３７】
図９に示す例では、実施例２で説明したジグ装置１の円筒形の本体１１の側面に円周に沿った窪み１８が形成されている。本実施例では、拡大レンズ１０の下方と、第２の拡大レンズ４０の下方にそれぞれ円周に沿った窪み１８を形成している。どちらか一方に、窪みを形成してもよい。本実施例のように、２段の窪み１８を形成している場合には、図１０に示す例と同様に、本体の片側を片手の人差し指と中指をそれぞれ２段の窪みに当て、対向する側の窪みに親指を当てて押さえることで使用しやすくなる。
【００３８】
本実施例のセンターポンチ５０の使用方法は、基本的には実施例１、２と同様である。実施例１、２のジグ装置１の本体１１は、プラスチックやガラス等で形成されているため、使用する際に手が滑りやすいが、本実施例のジグ装置１は、本体１１の側面に円周に沿った窪み１８が形成されているため、使用する際に手で押さえやすく滑りにくい（図１０参照）。また、本体１１の側面に円周に沿っているため、どの方向からでも持ちやすい。従って、更に効率よく工具先端の位置決めを行うことができる。
【００３９】
以上説明したように、本発明のジグ装置及びこれを備えたセンターポンチは、拡大レンズの略中心に穴が穿設され、その穴に棒状の工具を上下可動に保持するため、工具の軸周り（３６０度）から拡大レンズを通して先端部と、打ち込む位置（罫書き点マークや線）などを確認することができる。それにより、工具先端部の位置決めが容易に、かつ正確にできる。また、従来技術のセンターポンチと比較すると、より簡単な構成で位置決めを良好に行うことができる。
【００４０】
なお、上述した実施例のジグ装置及び、ジグ装置を備えたセンターポンチは一例であり、その構成は、発明の趣旨を逸脱しない範囲で、適宜変更可能である。
【産業上の利用可能性】
【００４１】
本発明のジグ装置及び、ジグ装置を備えたセンターポンチは、拡大レンズを通して先端部と、打ち込む位置を確認することができるため、図工、工作、美術、技術、手芸等の精密な作業が必要な分野において利用することができる。
【符号の説明】
【００４２】
１        ジグ装置
１０      拡大レンズ
１１      本体
１２      保持部
１３      レンズ保持体
１４      バネ部材
１５      レンズの穴
１６      シール部材
１７      締め付け部材
１８      円周に沿った窪み
２０      発光ダイオード
２１      発光ダイオード保持体
２２      発光ダイオード端子
３０      透明な板材
３１      透明な板材の穴
３２      ガイド線
３３      ゴム部材
４０      第２の拡大レンズ
４１      レンズ保持体
４２      第２の拡大レンズの穴
５０      センターポンチ
５１      センターポンチ本体
５２      先端部
６０      打ち込む位置
【図１】
2018111189.tif 000003
【図２】
2018111189.tif 000004
【図３】
2018111189.tif 000005
【図４】
2018111189.tif 000006
【図５】
2018111189.tif 000007
【図６】
2018111189.tif 000008
【図７】
2018111189.tif 000009
【図８】
2018111189.tif 000010
【図９】
2018111189.tif 000011
【図１０】
2018111189.tif 000012
【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
拡大レンズと、
前記拡大レンズが保持された円筒形の本体と、から構成され、
前記拡大レンズの略中心に穴が穿設され、該穴に棒状の工具を上下可動に保持する保持部が備えられ、
照射部が前記拡大レンズの下方、かつ前記保持部の側面方向に備えられていること
を特徴とするジグ装置。
【請求項２】
請求項１に記載のジグ装置おいて、前記保持部がバネ部材を備えていることを特徴とするジグ装置。
【請求項３】
請求項１又は２に記載のジグ装置において、前記拡大レンズの下方に第２の拡大レンズが前記本体に保持されていることを特徴とするジグ装置。
【請求項４】
請求項１から３のいずれかに記載のジグ装置において、前記本体の下端に、中心に穴が穿設された透明な板材が嵌め込まれ、該板材には前記穴の中心に向けたガイド線が描かれていることを特徴とするジグ装置。
【請求項５】
請求項１から４のいずれかに記載のジグ装置において、前記円筒形の本体の底部に、ゴム部材が嵌め込まれていることを特徴とするジグ装置。
【請求項６】
請求項１から５のいずれかに記載のジグ装置において、前記円筒形の本体の側面に円周に沿った窪みが形成されていることを特徴とするジグ装置。
【請求項７】
請求項１から６のいずれかに記載のジグ装置の保持部にセンターポンチ本体が上下可動に保持され、前記拡大レンズの中心と前記センターポンチ本体の中心軸が略同一であることを特徴とするジグ装置を備えたセンターポンチ。
【手続補正２】
【補正対象書類名】明細書
【補正対象項目名】００１０
【補正方法】変更
【補正の内容】
【００１０】
上記課題を解決するため、本発明のジグ装置及びこれを備えたセンターポンチは、次のように構成する。
本願の請求項１に記載のジグ装置は、拡大レンズと、前記拡大レンズが保持された円筒形の本体と、から構成され、前記拡大レンズの略中心に穴が穿設され、該穴に棒状の工具を上下可動に保持する保持部が備えられ、照射部が前記拡大レンズの下方、かつ前記保持部の側面方向に備えられていることを特徴とする。
請求項２に記載のジグ装置は、請求項１に記載のジグ装置おいて、前記保持部がバネ部材を備えていることを特徴とする。
請求項３に記載のジグ装置は、請求項１又は２に記載のジグ装置において、前記拡大レンズの下方に第２の拡大レンズが前記本体に保持されていることを特徴とする。
請求項４に記載のジグ装置は、請求項１から３のいずれかに記載のジグ装置において、
前記本体の下端に、中心に穴が穿設された透明な板材が嵌め込まれ、該板材には前記穴の中心に向けたガイド線が描かれていることを特徴とする。
請求項５に記載のジグ装置は、請求項１から４のいずれかに記載のジグ装置において、
前記円筒形の本体の底部に、ゴム部材が嵌め込まれていることを特徴とする。
請求項６に記載のジグ装置は、請求項１から５のいずれかに記載のジグ装置において、
前記円筒形の本体の側面に円周に沿った窪みが形成されていることを特徴とする。
請求項７に記載のジグ装置を備えたセンターポンチは、請求項１から６のいずれかに記載のジグ装置の保持部にセンターポンチ本体が上下可動に保持され、前記拡大レンズの中心と前記センターポンチ本体の中心軸が略同一であることを特徴とする。